(57)【要約】【課題】簡易な部品で簡単に組立が可能な屋外構造体及びその組立方法を提供する。【解決手段】支柱２に梁３、４を取付けてなるフレーム体１に屋根体５を取付固定してなり、フレーム体１は前後左右の支柱２間にそれぞれ梁３、４を渡して構成され、屋根体５はフレーム体１を構成する梁２、３の内側面に沿う外形状を有してなり、梁２、３の内側面２ａ、３ａには屋根体５の外側面に沿った複数箇所に引掛部品２２が設けられ、屋根体５の外側面には引掛部品２２に対して引掛係合される係合部１０ｃ、１３ｃが形成されてなる。【選択図】図４
2010196327.tif 000002
【特許請求の範囲】
【請求項１】
支柱に梁を取付けてなるフレーム体に屋根体を取付固定してなる屋外構造体において、
前記フレーム体は前後左右の支柱間にそれぞれ梁を渡して構成され、前記屋根体は前記フレーム体を構成する梁の内側面に沿う外形状を有してなり、
前記梁の内側面には前記屋根体の外側面に沿った複数箇所に引掛部品が設けられ、前記屋根体の外側面には前記引掛部品に対して引掛係合される係合部が形成されてなることを特徴とする屋外構造体。
【請求項２】
前記屋根体には外周のうち少なくとも一辺に雨樋が設けられ、該雨樋が設けられる辺以外の辺に端部垂木が設けられ、前記雨樋と端部垂木にそれぞれ前記係合部が形成されて前記引掛部品と係合することを特徴とする請求項１記載の屋外構造体。
【請求項３】
前記引掛部品は前記雨樋に係合するものと前記端部垂木に係合するものとが同形状に形成されてなることを特徴とする請求項２記載の屋外構造体。
【請求項４】
前記引掛部品は前記梁の内側面に当接して固定される梁固定部と、該梁固定部に対して段差状をなすように形成された引掛部とからなり、該引掛部は前記梁固定部が前記梁の内側面に固定されることで前記梁の内側面との間に上方開放状の引掛空間部を形成することを特徴とする請求項１〜３のいずれか１項に記載の屋外構造体。
【請求項５】
前記雨樋及び端部垂木は前記引掛部品の上端部に対して引掛係合されると共に、前記引掛部品の下端よりも下方に下端面を有して、前記引掛部品を前記フレーム体の内周側から全て覆ってなることを特徴とする請求項１〜４のいずれか１項に記載の屋外構造体。
【請求項６】
支柱に梁を取付けてなるフレーム体に屋根体を取付固定する屋外構造体の組立方法において、
前後左右の支柱間にそれぞれ梁を渡して前記フレーム体を形成し、前記梁の内側面の複数箇所には引掛部品が設けられ、前記屋根体の外周のうち互いに対向する二辺を構成する雨樋が、前記引掛部品に引掛係合されて前記梁に固定され、前記雨樋と交わる前記屋根体外周の他の二辺を構成する端部垂木が、前記引掛部品に引掛係合されて前記梁に固定されると共に、前記端部垂木の両端部が前記雨樋の端部に連結固定されることを特徴とする屋外構造体の組立方法。
【発明の詳細な説明】
【技術分野】
【０００１】
本発明は、支柱と梁からなるフレーム体に屋根体を取付けてなるカーポートやテラス、パーゴラ等の屋外構造体に関し、特に屋根体をフレーム体に対し簡易に取付可能な屋外構造体に関する。
【背景技術】
【０００２】
従来、支柱と梁からなるフレーム体に屋根体を取付けた屋外構造体が知られている。フレーム体と屋根体からなる屋外構造体は、カーポートやテラスあるいはパーゴラなどとして用いられる。また、屋外構造体において、前後左右に支柱を設け、これら支柱間を渡すように梁を設け、梁の内側面に屋根体を取付けたものも知られている。屋外構造体をこのように構成することで、梁の内側面の内側に屋根体の外周に設けられる雨樋や垂木が配置されることとなり、外側には直接露出しないこととなるため、意匠性を良好にすることができる。このような屋外構造体としては、例えば特許文献１や特許文献２に挙げるようなものがある。
【先行技術文献】
【特許文献】
【０００３】
【特許文献１】特開２００３−９６９１２号公報
【特許文献２】特開２００６−２４９６７９号公報
【発明の概要】
【発明が解決しようとする課題】
【０００４】
従来の屋外構造体では、屋根体を梁の内周面に固定するために、大掛かりな部品を取付けていた。梁と屋根体を連結する部品として、例えば特許文献１では、梁の長手方向に沿う略Ｌ字状の長尺部品を、梁の内側面に対してボルト止めし、屋根体の端部を部品の一面に載置すると共に、ボルト等で固定するものを設けている。また、特許文献２では、梁の内側面に長尺状のアタッチメントを設け、そのアタッチメントで屋根体の端部を支持するようにしている。
【０００５】
しかし、従来の屋外構造体では、屋根体と梁の連結構造が大掛かりで、部品のコストが大きいと共に、組立も煩雑で作業性があまりよくないという問題があった。
【０００６】
本発明は前記課題を鑑みてなされたものであり、簡易な部品で簡単に組立が可能な屋外構造体及びその組立方法を提供することを目的とする。
【課題を解決するための手段】
【０００７】
前記課題を解決するため、本発明に係る屋外構造体は、支柱に梁を取付けてなるフレーム体に屋根体を取付固定してなる屋外構造体において、
前記フレーム体は前後左右の支柱間にそれぞれ梁を渡して構成され、前記屋根体は前記フレーム体を構成する梁の内側面に沿う外形状を有してなり、
前記梁の内側面には前記屋根体の外側面に沿った複数箇所に引掛部品が設けられ、前記屋根体の外側面には前記引掛部品に対して引掛係合される係合部が形成されてなることを特徴として構成されている。
【０００８】
また、本発明に係る屋外構造体は、前記屋根体には外周のうち少なくとも一辺に雨樋が設けられ、該雨樋が設けられる辺以外の辺に端部垂木が設けられ、前記雨樋と端部垂木にそれぞれ前記係合部が形成されて前記引掛部品と係合することを特徴として構成されている。
【０００９】
さらに、本発明に係る屋外構造体は、前記引掛部品は前記雨樋に係合するものと前記端部垂木に係合するものとが同形状に形成されてなることを特徴として構成されている。
【００１０】
さらにまた、本発明に係る屋外構造体は、前記引掛部品は前記梁の内側面に当接して固定される梁固定部と、該梁固定部に対して段差状をなすように形成された引掛部とからなり、該引掛部は前記梁固定部が前記梁の内側面に固定されることで前記梁の内側面との間に上方開放状の引掛空間部を形成することを特徴として構成されている。
【００１１】
そして、本発明に係る屋外構造体は、前記雨樋及び端部垂木は前記引掛部品の上端部に対して引掛係合されると共に、前記引掛部品の下端よりも下方に下端面を有して、前記引掛部品を前記フレーム体の内周側から全て覆ってなることを特徴として構成されている。
【００１２】
また、本発明に係る屋外構造体の組立方法は、支柱に梁を取付けてなるフレーム体に屋根体を取付固定する屋外構造体の組立方法において、
前後左右の支柱間にそれぞれ梁を渡して前記フレーム体を形成し、前記梁の内側面の複数箇所には引掛部品が設けられ、前記屋根体の外周のうち互いに対向する二辺を構成する雨樋が、前記引掛部品に引掛係合されて前記梁に固定され、前記雨樋と交わる前記屋根体外周の他の二辺を構成する端部垂木が、前記引掛部品に引掛係合されて前記梁に固定されると共に、前記端部垂木の両端部が前記雨樋の端部に連結固定されることを特徴として構成されている。
【発明の効果】
【００１３】
本発明に係る屋外構造体によれば、梁の内側面には屋根体の外側面に沿った複数箇所に引掛部品が設けられ、屋根体の外側面には引掛部品に対して引掛係合される係合部が形成されてなることにより、フレーム体側には小片状の引掛部品を設けるだけで、屋根体をフレーム体に対し引掛係合によって簡易に取付固定することができるので、簡易な構成でコストダウンを図ることができると共に、取付作業も簡単にすることができる。
【００１４】
また、本発明に係る屋外構造体によれば、屋根体には外周のうち少なくとも一辺に雨樋が設けられ、雨樋が設けられる辺以外の辺に端部垂木が設けられ、雨樋と端部垂木にそれぞれ係合部が形成されて引掛部品と係合することにより、屋根体の全周に渡って引掛係合による固定がなされるので、屋根体を安定的にフレーム体に対して固定することができる。
【００１５】
さらに、本発明に係る屋外構造体によれば、引掛部品は雨樋に係合するものと端部垂木に係合するものとが同形状に形成されてなることにより、部品の種類を少なくしてコストダウンを図ることができる。
【００１６】
さらにまた、本発明に係る屋外構造体によれば、引掛部品は梁の内側面に当接して固定される梁固定部と、梁固定部に対して段差状をなすように形成された引掛部とからなり、引掛部は梁固定部が梁の内側面に固定されることで梁の内側面との間に上方開放状の引掛空間部を形成することにより、引掛部品が段差を有する単純な形状で構成でき、よりコストダウンを図ることができる。
【００１７】
そして、本発明に係る屋外構造体によれば、雨樋及び端部垂木は引掛部品の上端部に対して引掛係合されると共に、引掛部品の下端よりも下方に下端面を有して、引掛部品をフレーム体の内周側から全て覆ってなることにより、引掛部品が梁によって外部に露出することがなく、意匠性を良好にすることができる。
【００１８】
また、本発明に係る屋外構造体の組立方法によれば、前後左右の支柱間にそれぞれ梁を渡してフレーム体を形成し、梁の内側面の複数箇所には引掛部品が設けられ、屋根体の外周のうち互いに対向する二辺を構成する雨樋が、引掛部品に引掛係合されて梁に固定され、雨樋と交わる屋根体外周の他の二辺を構成する端部垂木が、引掛部品に引掛係合されて梁に固定されると共に、端部垂木の両端部が雨樋の端部に連結固定されることにより、屋根体を構成する各部材をフレーム体に対し順番に引掛係合させることで、簡単に屋根体を組立てることができる。
【図面の簡単な説明】
【００１９】
【図１】本実施形態における屋外構造体の平面図である。
【図２】図１のＡ−Ａ断面図である。
【図３】図１のＢ−Ｂ断面図である。
【図４】図２の部分拡大図である。
【図５】図４のうち引掛部品付近の拡大図である。
【図６】図４のＡ−Ａ断面図である。
【図７】図３の部分拡大図である。
【図８】屋外構造体の組立工程を表した平面図である。
【発明を実施するための形態】
【００２０】
本発明の実施形態について、図面に沿って詳細に説明する。本実施形態では、屋外構造体の一つとしてカーポートについて説明する。図１には本実施形態における屋外構造体の平面図を示している。本実施形態における屋外構造体は、前後左右設けられた支柱２間に間口方向梁３及び奥行方向梁４を渡してなるフレーム体１に、屋根体５を取付固定してなるものである。
【００２１】
支柱２は、いずれも断面方形状の角材からなり、地面に対して垂直方向に立設される。間口方向梁３と奥行方向梁４は、それぞれ支柱２の上端部分に連結固定され、フレーム体１は平面視において方形状をなすように構成される。
【００２２】
屋根体５は、フレーム体１を構成する間口方向梁３及び奥行方向梁４の内側面に沿う平面視方形状をなすように形成されている。屋根体５の周縁部には、フレーム体１の対向する二辺を構成する奥行方向梁４に沿って雨樋１０が設けられ、雨樋１０間を渡すと共に奥行方向梁４と交わる二辺を構成する間口方向梁３に沿って端部垂木１３が設けられている。また、両端の端部垂木１３と平行な複数本の垂木１１及び中間垂木１２が、雨樋１０間を渡すように設けられる。そして、垂木１１、中間垂木１２、端部垂木１３と両側の雨樋１０に囲まれた間口方向に長い各領域には、パネル体１４が設けられる。
【００２３】
図２には図１のＡ−Ａ断面図を、図３には図１のＢ−Ｂ断面図を、それぞれ示している。これら各図に示すように、屋根体５は間口方向に沿って上方に凸状となるように湾曲している。また、屋根体５は、上端から下端に渡って間口方向梁３及び奥行方向梁４の幅内に収まるように湾曲している。これにより、屋根体５はフレーム体１の外側に直接露出しないようにされている。
【００２４】
図４には図２の部分拡大図を示している。この図では、奥行方向梁４と屋根体５との連結部分付近の拡大図を表している。図４に示すように、支柱２と奥行方向梁４の連結は、支柱２の側面に固着される連結金具２０によってなされる。連結金具２０は、支柱２に対して固着される支柱固定面２０ａと、奥行方向梁４の内周面または外周面に当接して固着される梁固定面２０ｂとを有し、それぞれボルト止めによって固着される。
【００２５】
屋根体５の奥行方向梁４に隣接する周縁部には、前述のように雨樋１０が設けられる。雨樋１０は、パネル体１４からの水を受けて長手方向に流す凹状の溝部１０ａを有し、溝部１０ａの上部略半分を覆うようにパネル押さえ部１０ｂが設けられる。パネル押さえ部１０ｂには、パネル体１４の端部が収まる。また、図４においてはパネル体１４は垂木１１によって支持固定されている。
【００２６】
また、雨樋１０を構成する溝部１０ａの外周側部分は断面中空状に形成され、梁と対向する外側面は奥行方向梁４の内側面４ａに当接すると共に、内側面４ａに対して引掛係合がなされる。このために、奥行方向梁４の内側面４ａには長手方向複数箇所に小片状の引掛部品２２が設けられる。奥行方向梁４において引掛部品２２は、図３に示すように、両端部及び中央部にそれぞれ設けられ、各引掛部品２２に対して雨樋１０の外側面に形成された係合部１０ｃが引掛係合される。
【００２７】
図５には、図４のうち引掛部品２２付近の拡大図を示している。引掛部品２２は、奥行方向梁４の内側面４ａに対して当接する梁固定部２２ａと、梁固定部２２ａから段差状に形成された引掛部２２ｂとからなっている。引掛部２２ｂは、奥行方向梁４の内側面４ａと対向して、この内側面４ａとの間に上方開放状の引掛空間部２３を形成する。一方で、雨樋１０の係合部１０ｃは、下方に向かうフック状をなすように形成されており、係合部１０ｃを引掛空間部２３に進入させることで、雨樋１０が奥行方向梁４に対して係合される。
【００２８】
図４に示すように、雨樋１０の外側面は、係合部１０ｃより上部が溝部１０ａの開口よりも上方に伸びて、奥行方向梁４の内側面４ａに当接すると共に、ネジ止め固定される。また、雨樋１０の係合部１０ｃは、図４に示すように引掛部品２２の上端に引掛係合されており、また雨樋１０の下端面は引掛部品２２の下端よりも下方に位置している。これにより、雨樋１０は引掛部品２２をフレーム体１の内周側から全て覆っていることとなり、引掛部品２２が露出しないようにしている。これによって、意匠性を良好にすることができる。
【００２９】
図６には、図４のＡ−Ａ断面図を示している。この図に示すように、垂木１１は断面中空状の垂木本体１１ａを備え、その上面側にパネル体１４が載置されると共に、パネル体１４の上面側には押さえ材１１ｂが設けられて、押さえ材１１ｂと垂木本体１１ａとでパネル体１４を挟持している。なお、中間垂木１２は図示しないがより簡易な構成となっており、断面中空状の部材の上面にクッション材が固定されており、このクッション材にパネル体１４が載置されるようになっている。
【００３０】
図７には、図３の部分拡大図を示している。この図では、間口方向梁３と屋根体５との連結部分付近の拡大図を表している。図７に示すように、支柱２と間口方向梁３の連結は、奥行方向梁４の場合と同様に連結金具２０によってなされる。また、雨樋１０には、端部に樋キャップ１５が設けられて端面が塞がれると共に、間口方向梁３との隙間にはパッキン１６が設けられる。
【００３１】
屋根体５の間口方向梁３に隣接する周縁部には、前述のように端部垂木１３が設けられる。端部垂木１３は、概ね図６に示す通常の垂木１１の左右半分の形状を有してなり、断面中空状の本体部１３ａを備え、その上面にはパネル体１４が載置され、さらにパネル体１４の上面側にはパネル押さえ部１３ｂが設けられる。このパネル押さえ部１３ｂと本体部１３ａとによって、パネル体１４が挟持される。
【００３２】
本体部１３ａの外側面からは、下方に向かうフック状をなす係合部１３ｃが形成されている。一方、間口方向梁３の内側面３ａには、引掛部品２２が設けられている。この引掛部品２２は、奥行方向梁４に設けられたものと同形状であり、梁固定部２２ａで間口方向梁３にネジ止め固定されると共に、引掛部２２ｂと間口方向梁３の内側面３ａによって係合部１３ｃを引掛係合させる引掛空間部２３を形成している。また、係合部１３ｃの上部における端部垂木１３と間口方向梁３との間の隙間には、コーキング材１３ｄが設けられて、これらの間における水密性を確保するようにしている。
【００３３】
図２に示すように、間口方向梁３において引掛部品２２は、中央領域の左右にそれぞれ設けられており、各引掛部品２２に対して端部垂木１３の係合部１３ｃが引掛係合される。
【００３４】
端部垂木１３の外側面は、図７に示すように引掛部品２２の上端に引掛係合されており、また端部垂木１３の下端面は引掛部品２２の下端よりも下方に位置している。これにより、端部垂木１３は引掛部品２２をフレーム体１の内周側から全て覆っていることとなり、引掛部品２２が露出しないようにしている。これによって、意匠性を良好にすることができる。
【００３５】
次に、本実施形態の屋外構造体の組立方法について説明する。ここでは特に、フレーム体１に対して屋根体５を取付ける工程について説明する。図８には、屋外構造体の組立工程を表した平面図を示している。図８（ａ）に示すように、予め支柱２と間口方向梁３及び奥行方向梁４を連結してフレーム体１を構成しておく。また、この時点で間口方向梁３及び奥行方向梁４には、それぞれ引掛部品２２を取付けておく。
【００３６】
次いで、図８（ｂ）に示すように、両側の奥行方向梁４に対して、それぞれ雨樋１０を引掛係合させると共にネジ止めすることによって取付固定する。次に、図８（ｃ）に示すように、取付固定された雨樋１０間を渡すように、両側の間口方向梁３に対して、それぞれ端部垂木１３を引掛係合させると共に、端部垂木１３の端部を雨樋１０の上面に固定する。また、両側の端部垂木１３間の領域には、垂木１１及び中間垂木１２を両側の雨樋１０の間を渡すように設けて、雨樋１０の上面に固定する。
【００３７】
図４に示されているように、垂木１１の端部は、上面側が雨樋１０の上面側に突出するように形成されている。ここには表れていないが、端部垂木１３も同様の形状を有している。そして、垂木１１や端部垂木１３の雨樋１０側に突出した部分が、雨樋１０のパネル押さえ部１０ｂに載置されネジ止め固定される。このようにして端部垂木１３及び垂木１１の両端が雨樋１０に対して固定される。
【００３８】
さらに、端部垂木１３と中間垂木１２の間、及び中間垂木１２と垂木１１の間の各領域に、パネル体１４を載置し、垂木１１の押さえ材１１ｂ及び端部垂木１３のパネル押さえ部１３ｂによってパネル体１４の端部を挟持固定する。
【００３９】
このように、屋根体５をフレーム体１を構成する梁の内側面３ａ、４ａに設けられた引掛部品２２に対して引掛係合して固定することにより、簡易な部品で屋根体５をフレーム体１に取付けることができ、コストを低減することができると共に、屋根体５の取付作業も図８で説明したように、各梁を順番に引掛係合して取付けることができるので、簡単に行うことができ作業性を良好にすることができる。
【００４０】
以上、本発明の実施形態について説明したが、本発明の適用は本実施形態には限られず、その技術的思想の範囲内において様々に適用されうるものである。本実施形態では、屋外構造体としてカーポートについて説明したが、テラスやパーゴラなど他の用途に用いられるものであっても、本発明を適用することができる。
【００４１】
また、屋根体５の形状も本実施形態のものには限られない。本実施形態の屋根体５は、両側に雨樋１０を設け、雨樋１０を有する辺が最下部となるようにアーチ状をなすように形成されているが、例えば雨樋１０を一辺にのみ設けてそれ以外の辺を端部垂木１３で構成し、雨樋１０を設けた辺が最下部となるように一方向に傾斜した屋根体５としてもよい。
【符号の説明】
【００４２】
１    フレーム体
２    支柱
３    間口方向梁
３ａ  内側面
４    奥行方向梁
４ａ  内側面
５    屋根体
１０    雨樋
１０ａ  溝部
１０ｂ  パネル押さえ部
１０ｃ  係合部
１０ｄ  固着部
１１    垂木
１１ａ  垂木本体
１１ｂ  押さえ材
１２    中間垂木
１３    端部垂木
１３ａ  本体部
１３ｂ  パネル押さえ部
１３ｃ  係合部
１４    パネル体
２２    引掛部品
２２ａ  梁固定部
２２ｂ  引掛部
２３    引掛空間部
【図１】
2010196327.tif 000003
【図２】
2010196327.tif 000004
【図３】
2010196327.tif 000005
【図４】
2010196327.tif 000006
【図５】
2010196327.tif 000007
【図６】
2010196327.tif 000008
【図７】
2010196327.tif 000009
【図８】
2010196327.tif 000010